(57)【要約】【課題】ハードディスクドライブなどの格納部にエラーが発生した場合において、適切なエラー対応処理を行うことが可能な画像形成装置およびそれに関連する技術を提供する。【解決手段】画像形成装置は、格納部に格納されている各画像データを用いて各ジョブを実行するジョブ制御部と、格納部におけるエラーを検出する検出手段とを備える。ジョブ制御部は、第１のジョブＪＢａの実行中にエラーが検出される場合において、既に当該エラーの検出時点にて受付完了済みの第２のジョブＪＢｂを出力する前に、当該第２のジョブＪＢｂに関する出力用画像の確認依頼をユーザに通知する（ステップＳ２５）。【選択図】図３
2012171161.tif 000002
【特許請求の範囲】
【請求項１】
画像形成装置であって、
画像データを格納する格納部と、
前記格納部に格納される各画像データを用いて各ジョブを実行するジョブ制御手段と、
前記格納部にて発生したエラーであって前記格納部内のエラー検出手段によって検出されたエラーの情報を取得するエラー情報取得手段と、
を備え、
前記ジョブ制御手段は、第１のジョブの実行中に前記エラーが検出される場合において、既に前記エラーの検出時点にて受付完了済みの第２のジョブを出力する前に、前記第２のジョブに関する出力用画像の確認依頼をユーザに通知することを特徴とする画像形成装置。
【請求項２】
請求項１に記載の画像形成装置において、
前記ジョブ制御手段は、前記第１のジョブの実行中に前記エラーが検出される場合において、前記第２のジョブを出力する前に、前記第２のジョブに関する出力用画像のプレビュー画像を表示手段に表示することを特徴とする画像形成装置。
【請求項３】
請求項１または請求項２に記載の画像形成装置において、
前記ジョブ制御手段は、前記第１のジョブの実行中に前記エラーが検出される場合において、前記エラーの検出時点以後において新規ジョブの受付を禁止し、前記第２のジョブに関する出力用画像の確認依頼の通知後に前記エラーを解除し、前記エラーの解除後に新規ジョブの受付を再開することを特徴とする画像形成装置。
【請求項４】
請求項１ないし請求項３のいずれかに記載の画像形成装置において、
前記第２のジョブの前記出力は、前記第２のジョブに関する印刷出力および前記第２のジョブに関するデータ送信出力のいずれかを含むことを特徴とする画像形成装置。
【請求項５】
画像形成方法であって、
ａ）画像形成装置の格納部を用いて実行される第１のジョブを受け付けるステップと、
ｂ）前記格納部を用いて実行される第２のジョブを受け付けるステップと、
ｃ）前記格納部におけるエラーを検出するステップと、
ｄ）前記第１のジョブの実行中に前記エラーが検出される場合において、既に前記エラーの検出時点にて受付完了済みの前記第２のジョブを出力する前に、前記第２のジョブに関する出力用画像の確認依頼をユーザに通知するステップと、
を備えることを特徴とする画像形成方法。
【請求項６】
コンピュータに、
ａ）画像形成装置の格納部を用いて実行される第１のジョブを受け付けるステップと、
ｂ）前記格納部を用いて実行される第２のジョブを受け付けるステップと、
ｃ）前記格納部におけるエラーを検出するステップと、
ｄ）前記第１のジョブの実行中に前記エラーが検出される場合において、既に前記エラーの検出時点にて受付完了済みの前記第２のジョブを出力する前に、前記第２のジョブに関する出力用画像の確認依頼をユーザに通知するステップと、
とを実行させるためのプログラム。
【発明の詳細な説明】
【技術分野】
【０００１】
本発明は、ＭＦＰ（マルチ・ファンクション・ペリフェラル（Multi Function Peripheral））などの画像形成装置およびそれに関連する技術に関する。
【背景技術】
【０００２】
ＭＦＰなどの画像形成装置の中には、ハードディスクドライブ等の記憶装置（格納部）を備え、当該ハードディスクドライブに格納された画像データに基づいて印刷出力動作等を実行するものが存在する。
【０００３】
このようなハードディスクドライブにおいては、衝撃の付与等に起因して、セクタ単位での修復不可能なエラー（アンコレクタブルエラー）等が発生することがある。
【０００４】
また、多くのハードディスクドライブ（ＡＴＡ規格のハードディスクドライブ等）は、単一のエラーフラグ（ステータスレジスタのエラービット）を有し、或るエラーが検出されている期間中においては、他のエラーを検出できない、という仕様を有している。
【０００５】
また、画像形成装置においては、ハードディスクドライブを利用する複数のジョブが並列的に実行されることがある。たとえば、パーソナルコンピュータからの指令に基づくプリントジョブと当該画像形成装置１のユーザによる操作に基づくコピージョブとが並列的に実行されることがある。この際には、ハードディスクドライブに格納された複数の画像データ（プリント出力用の画像データおよびコピーに関するスキャン画像データ等）に基づいて、各ジョブの印刷出力動作が逐次実行される。
【先行技術文献】
【特許文献】
【０００６】
【特許文献１】特開２００７−２４５３７７号公報
【発明の概要】
【発明が解決しようとする課題】
【０００７】
ところで、画像形成装置においては、ハードディスクドライブにアンコレクタブルエラーが発生した場合には、当該アンコレクタブルエラーに起因する劣化画像の出力を回避するため、通常、当該エラー発生時点で受け付けられている全てのジョブが破棄される。たとえば、エラーが検出されたデータに係るジョブ（プリントジョブ）のみならず、当該エラー検出時点で既に受け付けられている「別のジョブ」（コピージョブ）もが破棄される。そして、当該別のジョブ（コピージョブ）の破棄後において、当該別のジョブ（コピージョブ）に関する再度のジョブ投入動作が実行される。
【０００８】
しかしながら、全てのジョブに関する全ての画像データにエラーが発生しているとは限らず、寧ろ複数のジョブに係る複数の画像データのうちの一部の画像データにのみエラーが発生していることが多い。
【０００９】
このような状況で全てのジョブを破棄すると、エラーが生じていなかったジョブについても再投入すること（たとえばコピージョブにおけるスキャン動作等を再度実行すること）が求められる。その結果、ユーザの手間が無用に増大する、という問題が生じる。
【００１０】
一方、特許文献１においては、印字できないエラーが発生した際には、全てのジョブを破棄するのではなく、エラーが発生したジョブ（エラージョブ）をスキップして次のジョブ（印刷処理）を実行することが記載されている。
【００１１】
しかしながら、上述のようにハードディスクドライブにおけるアンコレクタブルエラーが検出されているときには、新たなアンコレクタブルエラーは検出できないため、エラージョブ以外のジョブのデータが正常であるか否かが不明である。
【００１２】
このような状況において、特許文献１のように、エラージョブの次のジョブが自動的に実行される場合には、当該次のジョブに関する出力用画像に欠陥が存在する可能性が存在するにもかかわらず、当該次のジョブに関する画像が無条件に出力される。そのため、ユーザは、欠損部分を有する出力画像を、正常な出力画像として取得する可能性がある。すなわち、ユーザは不正確な出力画像を取得してしまう恐れがある。
【００１３】
そこで、この発明の課題は、ハードディスクドライブなどの格納部にエラーが発生した場合において、適切なエラー対応処理を行うことが可能な画像形成装置およびそれに関連する技術を提供することにある。
【課題を解決するための手段】
【００１４】
上記課題を解決すべく、請求項１の発明は、画像形成装置であって、画像データを格納する格納部と、前記格納部に格納される各画像データを用いて各ジョブを実行するジョブ制御手段と、前記格納部にて発生したエラーであって前記格納部内のエラー検出手段によって検出されたエラーの情報を取得するエラー情報取得手段と、を備え、前記ジョブ制御手段は、第１のジョブの実行中に前記エラーが検出される場合において、既に前記エラーの検出時点にて受付完了済みの第２のジョブを出力する前に、前記第２のジョブに関する出力用画像の確認依頼をユーザに通知することを特徴とする。
【００１５】
請求項２の発明は、請求項１の発明に係る画像形成装置において、前記ジョブ制御手段は、前記第１のジョブの実行中に前記エラーが検出される場合において、前記第２のジョブを出力する前に、前記第２のジョブに関する出力用画像のプレビュー画像を表示手段に表示することを特徴とする。
【００１６】
請求項３の発明は、請求項１または請求項２の発明に係る画像形成装置において、前記ジョブ制御手段は、前記第１のジョブの実行中に前記エラーが検出される場合において、前記エラーの検出時点以後において新規ジョブの受付を禁止し、前記第２のジョブに関する出力用画像の確認依頼の通知後に前記エラーを解除し、前記エラーの解除後に新規ジョブの受付を再開することを特徴とする。
【００１７】
請求項４の発明は、請求項１ないし請求項３のいずれかの発明に係る画像形成装置において、前記第２のジョブの前記出力は、前記第２のジョブに関する印刷出力および前記第２のジョブに関するデータ送信出力のいずれかを含むことを特徴とする。
【００１８】
請求項５の発明は、画像形成方法であって、ａ）画像形成装置の格納部を用いて実行される第１のジョブを受け付けるステップと、ｂ）前記格納部を用いて実行される第２のジョブを受け付けるステップと、ｃ）前記格納部におけるエラーを検出するステップと、ｄ）前記第１のジョブの実行中に前記エラーが検出される場合において、既に前記エラーの検出時点にて受付完了済みの前記第２のジョブを出力する前に、前記第２のジョブに関する出力用画像の確認依頼をユーザに通知するステップと、を備えることを特徴とする。
【００１９】
請求項６の発明は、コンピュータに、ａ）画像形成装置の格納部を用いて実行される第１のジョブを受け付けるステップと、ｂ）前記格納部を用いて実行される第２のジョブを受け付けるステップと、ｃ）前記格納部におけるエラーを検出するステップと、ｄ）前記第１のジョブの実行中に前記エラーが検出される場合において、既に前記エラーの検出時点にて受付完了済みの前記第２のジョブを出力する前に、前記第２のジョブに関する出力用画像の確認依頼をユーザに通知するステップと、とを実行させるためのプログラムであることを特徴とする。
【発明の効果】
【００２０】
請求項１ないし請求項６に記載の発明によれば、第１のジョブの実行中にエラーが検出される場合において、既に当該エラーの検出時点にて受付完了済みの第２のジョブを出力する前に、当該第２のジョブに関する出力用画像の確認依頼がユーザに通知されるので、ユーザは、出力用画像が劣化している可能性があることを知得し、当該出力用画像の良否を確認することが可能である。したがって、当該出力用画像の良否に応じた適切なエラー対応処理が行われ得る。
【図面の簡単な説明】
【００２１】
【図１】ＭＦＰの概略構成等を示す図である。
【図２】ＭＦＰの動作を示すフローチャートである。
【図３】ＭＦＰの動作を示すフローチャートである。
【図４】ＭＦＰの動作を示すタイミングチャートである。
【図５】通知画面を示す図である。
【発明を実施するための形態】
【００２２】
以下、本発明の実施形態を図面に基づいて説明する。
【００２３】
＜１．構成＞
図１は、画像形成装置１の概略構成等を示すブロック図である。画像形成装置１は、この実施形態ではＭＦＰ（マルチ・ファンクション・ペリフェラル（Multi Function Peripheral））として構成されている。
【００２４】
図１のブロック図に示すように、ＭＦＰ１は、画像読取部２、印刷出力部３、通信部４、格納部（記憶部）５、入出力部６および全体制御部９等を備えており、これらの各部を複合的に動作させることによって、各種の機能を実現する。
【００２５】
画像読取部２は、ＭＦＰ１の所定の位置に載置された原稿を光学的に読み取って、当該原稿の画像データ（原稿画像とも称する）を生成する処理部である。
【００２６】
印刷出力部３は、印刷対象に関するデータに基づいて紙などの各種の媒体に画像を印刷出力する出力部である。
【００２７】
通信部４は、公衆回線等を介したファクシミリ通信を行うことが可能な処理部である。さらに、通信部４は、通信ネットワークを介したネットワーク通信が可能である。このネットワーク通信では、ＴＣＰ／ＩＰ（Transmission Control Protocol / Internet Protocol）およびＦＴＰ（File Transfer Protocol）等の各種のプロトコルが利用される。当該ネットワーク通信を利用することによって、ＭＦＰ１は、所望の相手先との間で各種のデータを授受することが可能である。
【００２８】
格納部（記憶部とも称する）５は、比較的大きな容量を有する格納装置（記憶装置）として構成される。この格納部５には、画像読取部２等で生成された原稿画像（画像データ）が格納（記憶）される。この実施形態では、ハードディスクドライブ（ＨＤＤ）が格納装置として用いられる。また、ハードディスクドライブは、ハードディスクドライブ内に設けられたエラー検知部を用いて、そのステータス情報（エラー情報）を検出することができる。
【００２９】
入出力部６は、ＭＦＰ１に対する入力を受け付ける操作入力部６ａと、各種情報の表示出力を行う表示部６ｂとを備えている。詳細には、ＭＦＰ１には操作パネル６３（図５参照）が設けられている。この操作パネル（タッチスクリーン）６３は、液晶表示パネルに圧電センサ等が埋め込まれて構成されており、表示部６ｂの一部として機能するとともに、操作入力部６ａの一部としても機能する。
【００３０】
全体制御部９は、ＭＦＰ１に内蔵され、ＭＦＰ１を統括的に制御する制御装置である。全体制御部９は、ＣＰＵおよび各種の半導体メモリ（ＲＡＭおよびＲＯＭ等）等を備えるコンピュータシステムとして構成される。全体制御部９は、ＣＰＵにおいて、ＲＯＭ（例えば、ＥＥＰＲＯＭ等）内に格納されている所定のソフトウエアプログラム（以下、単にプログラムとも称する）を実行することによって、各種の処理部を実現する。
【００３１】
具体的には、全体制御部９は、エラー情報取得部３１、ジョブ制御部３２、および表示制御部３３等を備える。
【００３２】
エラー情報取得部３１は、格納部５と通信して、当該格納部５内のエラー検知部によって検出されたエラー（詳細には、修復不可能なエラー（アンコレクタブルエラー）等）の情報を取得する処理部である。
【００３３】
ジョブ制御部３２は、格納部５に格納（記憶）される各画像データ等を用いて各ジョブを実行する処理部である。ジョブ制御部３２は、アンコレクタブルエラーが検出される場合において、エラー検出時点までに受付済みのジョブ（エラージョブを除く）に関する出力用画像の確認依頼をユーザに通知する処理（後述）をも実行する。
【００３４】
表示制御部３３は、表示部６ｂにおける表示内容を制御する処理部である。
【００３５】
＜２．動作＞
図２および図３は、このＭＦＰ１における動作を示すフローチャートである。また、図４は、詳細な動作例を示すタイミングチャートである。
【００３６】
ここでは、ＭＦＰ１において複数のジョブ（具体的には、プリントジョブＪＢａとコピージョブＪＢｂとの２つのジョブ）がほぼ同時に受け付けられ、当該複数のジョブが少なくとも一部において並列的に実行される状況を想定する。なお、当該複数のジョブは、ハードディスクドライブ５を利用して行われるものであれば十分であり、プリントジョブおよびコピージョブに限定されない。たとえば、当該複数のジョブは、ファクシミリ通信ジョブ（特にハードディスクドライブ５にデータを記録するファクシミリ受信ジョブ）、ボックス保存ジョブ（ハードディスクドライブ５にデータを保存するジョブ）などのいずれかを含むものであってもよい。
【００３７】
まず、図４に示すように、時刻Ｔ１０において、ユーザＵＡの操作に応じてコンピュータ９０（図１参照）がネットワークＮＷを介してプリントジョブＪＢａをＭＦＰ１に向けて送出する。ＭＦＰ１は、時刻Ｔ１１において当該プリントジョブＪＢａを受け付け、当該プリントジョブＪＢａに関する処理を開始する。具体的には、プリントデータの受信処理、およびハードディスクドライブ５への当該プリントデータの記憶処理（格納処理）が実行された後、図２の印刷出力処理（ステップＳ１１〜Ｓ１５）が開始される。
【００３８】
また、ＭＦＰ１は、当該プリントジョブＪＢａの実行中においても、その他のジョブを受け付けることが可能である。ここでは、プリントジョブＪＢａの実行中にコピージョブＪＢｂが受け付けられるものとする。
【００３９】
具体的には、別のユーザＵＢがＭＦＰ１の載置場所に移動してタッチスクリーン６３を操作することなどによってコピージョブの実行指示をＭＦＰ１に付与し、コピージョブが投入される（時刻Ｔ２０）。ＭＦＰ１は、このコピージョブの実行指示に応答して、スキャン処理を開始する。具体的には、ＭＦＰ１は、当該ＭＦＰ１の原稿台に載置された原稿を光学的に読み取ってスキャン画像を生成し、当該スキャン画像をハードディスクドライブ５に格納する。
【００４０】
ただし、コピージョブＪＢｂに関しては、原稿に関するスキャン処理（読取処理）が実行されスキャン画像がハードディスクドライブ５に格納された後、印刷出力処理に向けた待機状態に遷移する（時刻Ｔ２１）。スキャン動作完了時点では、前のプリントジョブＪＢａに係る印刷出力処理が未だ終了していないためである。
【００４１】
ここにおいて、プリントジョブＪＢａの実行中およびコピージョブＪＢｂの実行中においてエラーが検出されない場合には、通常の動作が実行される。
【００４２】
具体的には、図２に示すように、まず、ハードディスクドライブ５に格納されているプリントジョブＪＢａに関するプリントデータに基づき、画像処理（詳細には、印刷出力用画像の生成処理）が開始される（ステップＳ１１）。ハードディスクドライブ５にエラーが検出されることなく（ステップＳ１２でＮｏ）ハードディスクドライブからの読出処理が終了し（ステップＳ１３でＹｅｓ）、当該画像処理が完了する（ステップＳ１４）と、印刷出力用画像を用いた印刷出力処理が実行される（ステップＳ１５）。これにより、プリントジョブＪＢａが完了する。その後、未実行のコピージョブＪＢｂが残存していることがステップＳ１６で判定され、ステップＳ１１に戻る。
【００４３】
つぎに、コピージョブＪＢｂについても、ステップＳ１１〜Ｓ１５の印刷出力処理が同様に実行される。なお、コピージョブＪＢｂに関するスキャン画像の生成処理（スキャン処理）は、予め、プリントジョブＪＢａに関する印刷出力処理と並列的に実行され得る。換言すれば、印刷出力処理と印刷出力処理以外の処理との組合せに係る一部の複数の処理は、並列的に実行可能である。
【００４４】
以上のように、エラーが検出されない場合には通常の動作が実行される。
【００４５】
一方、プリントジョブＪＢａの実行中にエラーが検出される場合には、次述するような動作が実行される。ここでは、最初のプリントジョブＪＢａに関する印刷出力処理実行中（具体的には、ハードディスクドライブ５からのデータ読出動作中）において、エラーが検出される状況を想定する。より詳細には、プリントジョブＪＢａに関するプリントデータの読出動作中の時刻Ｔ３０において、アンコレクタブルエラー（修復不可能なエラー）がハードディスクドライブのエラー検知部によって検出されるとともに、エラー情報取得部３１によって当該エラーの情報（エラー情報）が取得されるものとする。このようなアンコレクタブルエラーは、例えば、ＭＦＰ１における原稿トレイの開閉機構が強い力で閉じられる際にＭＦＰ１およびその内部のハードディスクドライブに衝撃が加わること等によって発生する。また、アンコレクタブルエラーは、データ読出時に検出される。
【００４６】
なお、当該エラー検出時点以降においては、ハードディスクドライブ内の記憶領域に記憶されるエラーフラグＥＬ（ステータスレジスタのエラービット）がオン状態にされ、異常の発生が検出される。このエラーフラグＥＬは、エラー検出状態（エラーが検出された状態）であるか否かを示すフラグである。当該エラーフラグＥＬは、後述する「リブート」動作（ハードディスクドライブのリブート動作）によってオフ状態に戻される（リセットされる）。
【００４７】
プリントジョブＪＢａの実行中（時刻Ｔ３０）においてアンコレクタブルエラーが検出されると、ステップＳ１２（図２）からステップＳ２１（図３）に進む。
【００４８】
ＭＦＰ１は、プリントジョブＪＢａの画像処理（印刷出力用画像の生成処理）を終了するとともに、そのデータにエラーが検出されたプリントジョブＪＢａを破棄する（ステップＳ２１）（時刻Ｔ３１）。詳細には、ＭＦＰ１は、プリントジョブＪＢａに係るプリントデータ（エラー発生セクタを含む領域に記憶されていたデータ）をハードディスクドライブ５から削除する。
【００４９】
また、ＭＦＰ１は、以後の新規ジョブの受付を停止する。換言すれば、ＭＦＰ１は、以後の新規ジョブの受付を禁止する（ステップＳ２２）。なお、新規ジョブの受付禁止は、ステップＳ３２（時刻Ｔ４０）まで継続される。
【００５０】
次のステップＳ２３で他の未実行ジョブ（具体的には、コピージョブＪＢｂ）が残存していることが判定されると、当該未実行ジョブの中から（例えば受付順に従って）次に実行すべきジョブが決定され、ステップＳ２４に進む。ステップＳ２４では、当該次のジョブ（コピージョブＪＢｂ）に関する画像処理（印刷出力用画像の生成処理）が開始され（時刻Ｔ３２）、（当該コピージョブＪＢｂに係る）印刷出力用画像が生成される。
【００５１】
ここにおいて、プリントジョブＪＢａのデータにアンコレクタブルエラーが発生している場合においては、コピージョブＪＢｂのデータにもアンコレクタブルエラーが発生している可能性がある。ただし、コピージョブＪＢｂのデータにはアンコレクタブルエラーは発生していないかもしれない。
【００５２】
このハードディスクドライブ５は、仕様上、１つのアンコレクタブルエラーのみしか検出できない。そのため、プリントジョブＪＢａにおけるエラーが既に検出されている場合には、ＭＦＰ１は、別のエラー、具体的にはコピージョブＪＢｂのデータに対するエラーを検出できない。
【００５３】
上述のように、プリントジョブＪＢａのエラー検出時において、他の全てのジョブ（ここではコピージョブＪＢｂ）を破棄することもできる。ただし、その場合には、上述のように、ジョブの再投入の手間を要するなどの問題が生じ得る。
【００５４】
また、特許文献１の技術を採用して、エラージョブの次のジョブを無条件で自動的に実行する場合には、当該次のジョブに関する出力用画像に欠陥が存在する可能性が存在するにもかかわらず、当該次のジョブに関する画像が無条件に出力される。そのため、ユーザは、欠損部分を有する出力画像を、正常な出力画像として取得する可能性がある。すなわち、ユーザは不正確な出力画像を取得してしまう恐れがある。
【００５５】
これに対して、この実施形態では、ジョブ制御部３２は、プリントジョブＪＢａの実行中にアンコレクタブルエラーが検出される場合において、当該アンコレクタブルエラーの検出時点にて既に受付完了済みのコピージョブＪＢｂを印刷出力するに際して、当該印刷出力の前に、当該コピージョブＪＢｂに関する出力用画像の確認依頼をユーザに通知する（ステップＳ２５）。具体的には、時刻Ｔ３３において、図５に示すような画面がタッチスクリーン６３に表示される。
【００５６】
図５に示すように、タッチスクリーン６３に表示された画面ＧＡ１においては、「現在ハードディスクにエラーが発生しています。エラー発生対象のプリントジョブの出力用画像は破棄されました。また、別のジョブ（コピージョブ）の出力用画像にも異常発生の可能性があります。コピージョブの出力用画像をプレビューで確認してください。」などの文字（警告メッセージ）が表示される。このような警告画面により、コピージョブＪＢｂに関する出力用画像の確認依頼がユーザに通知される。
【００５７】
また、当該画面ＧＡ１においては、コピージョブＪＢｂに関する画像のプレビュー表示欄ＰＶが設けられている。ユーザＵＢは、当該プレビュー表示欄ＰＶに表示されるプレビュー画像を視認して、コピージョブＪＢｂに関する印刷出力用画像に欠損が生じていないか否かを確認することができる。また、確認結果に応じてボタンＢＮ１１，ＢＮ１２のいずれかがユーザＵＢによって押下されると、分岐処理（ステップＳ２６）が実行される（時刻Ｔ３４）。
【００５８】
たとえば、ユーザＵＢは、当該印刷出力用画像に欠損が生じていない（或いは許容可能な程度の欠損しか生じていない）旨を判断する場合には、「このまま印刷出力」ボタンＢＮ１１を押下する。ＭＦＰ１は、当該ボタンＢＮ１１の押下に応答して、当該印刷出力用画像をそのまま用いてコピージョブＪＢｂに関する印刷出力処理を実行する（ステップＳ２７）。
【００５９】
一方、ユーザＵＢは、当該印刷出力用画像に欠損が生じている（或いは許容できない程度の欠損が生じている）旨を判断する場合には、「データ破棄」ボタンＢＮ１２を押下する。ＭＦＰ１は、当該ボタンＢＮ１２の押下に応答して、当該印刷出力用画像を破棄するとともに、コピージョブＪＢｂをも破棄する（ステップＳ２８）。
【００６０】
その後、再びステップＳ２３に戻り、同様の処理（ステップＳ２４〜ＳＰ２８）が実行される。受付済みの未実行ジョブの全てについてステップＳ２４以降の処理が実行されると、ステップＳ２３からステップＳ３１に進む。
【００６１】
なお、ここでは、受付済みの未実行ジョブは、コピージョブＪＢｂのみであるため、ステップＳ２３に戻った後、直ちにステップＳ３１に進む。一方、その他の未実行ジョブが残存している場合には、受付完了済み且つ未実行の複数のジョブのそれぞれに関する確認依頼の通知後にステップＳ３１に進む。
【００６２】
ステップＳ３１においては、ジョブ制御部３２は、ハードディスクドライブ５のリブート動作を実行し、ハードディスクドライブ５のエラー状態をクリアする（時刻Ｔ４０）。これにより、エラーフラグＥＬもリセットされる。そして、ステップＳ３２において、新規ジョブの受付が再開される。このように、ジョブ制御部３２は、プリントジョブＪＢａの実行中にアンコレクタブルエラーが検出される場合において、アンコレクタブルエラーの検出時点で直ちにアンコレクタブルエラーを解除するのではなく、コピージョブＪＢｂに関する出力用画像の確認依頼の通知（ステップＳ２５）の後において、アンコレクタブルエラーを解除する。また、ジョブ制御部３２は、プリントジョブＪＢａの実行中にアンコレクタブルエラーが検出される場合において、アンコレクタブルエラーの検出時点以後において新規ジョブの受付を禁止し（ステップＳ２２）、アンコレクタブルエラーの解除後に新規ジョブの受付を再開する（ステップＳ３２）。このようにしてエラー状態での新規ジョブの受付を禁止することによれば、当該新規ジョブに対して上記のような確認作業（ステップＳ２５）を行うことを要しない。したがって、確認対象のジョブ数の増大を回避でき、確認作業の発生を抑制することが可能である。
【００６３】
以上のようにして、各ジョブＪＢａ，ＪＢｂが実行される。
【００６４】
上記のような動作によれば、プリントジョブＪＢａの実行中にアンコレクタブルエラーが検出される場合において、既に当該アンコレクタブルエラーの検出時点にて受付完了済みのコピージョブＪＢｂが出力される前に、当該コピージョブＪＢｂに関する出力用画像の確認依頼がＭＦＰ１のユーザに通知される（ステップＳ２５）。したがって、ＭＦＰ１のユーザ（ここでは、コピージョブＪＢｂの要求ユーザＵＢ）は、ハードディスクドライブ５におけるアンコレクタブルエラーの発生に起因してコピージョブＪＢｂの出力用画像が劣化している可能性があることを知得し、当該出力用画像の良否を確認することが可能である。したがって、当該出力用画像の良否に応じた適切なエラー対応処理が行われ得る。詳細には、コピージョブＪＢｂに関する出力用画像が正常に生成されていることが確認される場合には、当該出力用画像をそのまま用いて出力が行われることによって、コピージョブＪＢｂに関する正確な出力画像（コピー画像）を得ることが可能である。一方、コピージョブＪＢｂに関する出力用画像が正常でないことが確認される場合には、当該出力用画像を破棄して、再度のコピージョブを改めて実行することによって、正確な出力画像（コピー画像）を得ることが可能である。
【００６５】
特に、コピージョブＪＢｂに関する出力用画像が正常に生成されていることが確認される場合には、コピージョブＪＢｂの出力用画像のデータがそのまま利用されて印刷出力が行われるので、当該出力用画像のデータを廃棄せずに済み、ジョブデータの再投入動作も不要である。したがって、ユーザＵＢの手間の増大を抑制することが可能である。
【００６６】
また、上記動作においては、図５に示すようにコピージョブＪＢｂに関する出力用画像のプレビュー画像（確認用画像）がタッチスクリーン６３に表示される。したがって、出力用画像を印刷出力する前に出力用画像をプレビュー画像で確認することが可能である。したがって、常に出力用画像を印刷出力し当該出力用画像を当該印刷用紙上で視認する場合に比べて、印刷用紙の消費量およびトナーの消費量等を抑制することが可能である。
【００６７】
＜３．変形例等＞
以上、この発明の実施の形態について説明したが、この発明は上記説明した内容のものに限定されるものではない。
【００６８】
たとえば、上記実施形態においては、コピージョブＪＢｂにおける印刷出力（スキャン画像の印刷出力）に際して、出力用画像の確認依頼がユーザに予め通知される場合が例示されているが、これに限定されない。具体的には、ファクシミリ送信あるいはスキャン画像の電子メール添付送信（スキャン画像を電子メールに添付して送信すること）等に際して、上記のような思想を適用するようにしてもよい。端的に言えば、ジョブに関する「出力」は、印刷出力に限定されず、データ送信出力などであってもよい。また、「出力用画像」は、印刷出力用画像に限定されず、データ送信出力用画像などであってもよい。たとえば、ファクシミリ送信に際して、ファクシミリ送信用の出力用画像（画像データ）の確認依頼をユーザに通知するようにしてもよい。あるいは、電子メール添付送信に際して、電子メールに添付する出力用画像（画像データ）の確認依頼をユーザに通知するようにしてもよい。これによれば、異常画像（欠損を伴う画像）の外部流出を予防することが可能である。また、これらの場合においても、プレビュー表示を伴うことが好ましい。
【００６９】
また、上記実施形態においては、ハードディスクドライブ５のエラーとして、アンコレクタブルエラーが発生する場合において上記の思想を適用する場合を例示しているが、これに限定されない。たとえば、アンコレクタブルエラー以外のエラー、たとえば、コマンドアボートエラー（ハードディスクドライブに関するコマンドを正常に受信できなかったエラー）等において上記と同様の思想を適用するようにしてもよい。ただし、コマンドアボートエラーは、コマンドの再発行等によってエラー解除され得るのに対して、アンコレクタブルエラーはエラー解除のためにはハードディスクドライブのリブートが求められる。したがって、アンコレクタブルエラーが発生する場合に上記の思想を適用することが非常に有用である。
【符号の説明】
【００７０】
１  ＭＦＰ（画像形成装置）
５  ハードディスクドライブ
９  全体制御部
６３  タッチスクリーン
ＪＢａ  プリントジョブ
ＪＢｂ  コピージョブ
ＰＶ  プレビュー表示欄
【図１】
2012171161.tif 000003
【図２】
2012171161.tif 000004
【図３】
2012171161.tif 000005
【図４】
2012171161.tif 000006
【図５】
2012171161.tif 000007